(57)【特許請求の範囲】
【請求項１】
基材上に前記基材の表面色と異なる有色蛍光インキで印刷した画線で作成した第１の万線を印刷した上に、透明インキで盛りのある画線により作成した第２の万線を前記第１の万線の画線と前記第２の万線の画線が重畳する領域と、重畳しない領域が得られるように前記第１の万線とは異なる角度で刷り重ねてなる偽造防止印刷物であって、
前記印刷物を可視光下で垂直方向から観察すると前記第１の万線のみが確認でき、前記印刷物を可視光下で傾けて観察するとモアレ模様が確認でき、前記印刷物に紫外線を照射すると前記印刷物を傾けることなく、垂直方向から観察した場合において、前記第１の万線と前記第２の万線の画線同士が重畳する領域が低輝度で確認でき、前記第１の万線と前記第２の万線の画線同士が重畳しない領域が高輝度で発光し、前記低輝度と前記高輝度の輝度の差により前記モアレ模様が確認されてなる偽造防止印刷物。
【請求項２】
前記第１の万線の画線及び第２の万線の画線が、直線及び曲線のいずれか一つ又は両方で印刷されてなる請求項１記載の偽造防止印刷物。
【請求項３】
前記曲線が互いに振幅の異なる波線で印刷されてなる請求項２記載の偽造防止印刷物。
【請求項４】
前記第１の万線を印刷する有色蛍光インキが、紫外線照射時にレッド系、グリーン系及びブルー系に発光するインキのいずれか一つのインキで印刷されてなる請求項１、２又は３記載の偽造防止印刷物。
【発明の詳細な説明】
【０００１】
【発明の属する技術分野】
本発明は、銀行券、株券、有価証券、通行券、パスポート、商品券、カード等の偽造、複写を防止する必要性のある貴重印刷物に適用される偽造防止印刷物に関するものである。
【０００２】
【従来の技術】
銀行券、株券、債券等の有価証券、パスポート、各種証明書及び重要書類等の印刷物において偽造、変造防止策は重要な要素である。この防止策として、紫外線を照射時に発光する蛍光インキを用いることで、通常、可視光下では上記インキで印刷した領域は視認できず、紫外線を照射することにより上記インキで印刷した領域が顕在化する技術が利用されている。また、角度の異なる万線を利用して印刷物を傾けて観察するとモアレが顕在化し真偽判別する技術が用いられている。
【０００３】
励起光を照射して発光する蛍光インキを用いた偽造防止策として、可視光線以外の励起光を照射したときに可視光線を発光する１種または２種以上の蛍光        インキが印刷されており、励起光を照射したときに蛍光インキの発光によって肉眼で視認し得る画像が形成される印刷物であって、画像が形成される領域には蛍光インキが印刷されていない部分が設けられており、励起光を照射したときに該部分が黒色に見えることを特徴とする蛍光印刷物が開示されている（特開平１０−２８７０３４号公報参照）。
【０００４】
角度の異なる万線を利用して印刷物を傾けて観察するとモアレが顕在化するものとして、有色である万線画像のオフセット印刷と無色透明である万線画像の凹版印刷を角度を変えて重ね刷りすることである特定の角度からみたときにのみモアレが認識できる印刷物が開示されている（特公平０７−６４１１３号公報参照）。
【０００５】
しかし、前述した特開平１０−２８７０３４号公報は、励起光を照射したときに画像が出現するが、立体的に画像が視認されるものでない。また、印刷物を傾けても画像が出現することがないため、真偽判別、偽造防止効果としては不十分だった。
【０００６】
さらに、特公平０７−６４１１３号公報の方法では、オフセット印刷の万線画像と凹版印刷の万線画像とを角度をつけて重ね刷りを行いモアレを現出させるものであるが、紫外線を照射したときにモアレが出現することがないため、偽造防止効果としては低かった。
【０００７】
【発明が解決しようとする課題】
本発明は上述の点に鑑みなされたもので、本発明の印刷物を可視光下で垂直方向から観察すると第１の万線のみが確認でき、印刷物を可視光下で傾けて観察するとモアレ模様が確認でき、更に、紫外線を照射すると印刷物を傾けることなく、垂直方向から観察した場合において、第１の万線と第２の万線の画線同士が重畳する領域が低輝度で確認でき、第１の万線と第２の万線の画線同士が重畳しない領域が高輝度で発光し、モアレ模様が確認できるため、確実に誰でも容易に真偽判別をすることができる。
【０００８】
通常の有色インキではなく有色蛍光インキと透明インキを用いて印刷しているため通常の有色インキよりも入手困難であり複製防止効果にも優れている。更に本発明の印刷物を複写機で複写した複写物は、可視光下で傾けて観察してもモアレ模様が出現することなく、紫外線を照射してもモアレ模様が出現しないため複写物と容易に判別することができる。以上のことから偽造防止効果に優れた偽造防止印刷物を提案する。
【０００９】
【発明を解決しようとする手段】
本発明は、基材上に前記基材の表面色と異なる有色蛍光インキで印刷した画線で作成した第１の万線を印刷した上に、透明インキで盛りのある画線により作成した第２の万線を前記第１の万線の画線と前記第２の万線の画線が重畳する領域と、重畳しない領域が得られるように前記第１の万線とは異なる角度で刷り重ねてなる偽造防止印刷物であって、前記印刷物を可視光下で垂直方向から観察すると前記第１の万線のみが確認でき、前記印刷物を可視光下で傾けて観察するとモアレ模様が確認でき、更に、紫外線を照射すると前記印刷物を傾けることなく、垂直方向から観察した場合において、前記第１の万線と前記第２の万線の画線同士が重畳する領域が低輝度で確認でき、前記第１の万線と前記第２の万線の画線同士が重畳しない領域が高輝度で発光し、前記モアレ模様が確認できることを特徴とする偽造防止印刷物である。
【００１０】
また、本発明の第１の万線の画線及び第２の万線の画線が、直線及び曲線のいずれか一つ又は両方で構成されていることを特徴とする偽造防止印刷物である。
【００１１】
また、本発明の曲線が互いに振幅の異なる波線であることを特徴とする偽造防止印刷物である。
【００１２】
また、本発明の第１の万線を印刷する有色蛍光インキが、紫外線照射時にレッド系、グリーン系及びブルー系に発光するインキのいずれか一つ以上のインキで印刷されることを特徴とする偽造防止印刷物である。
【００１３】
【発明の実施の形態】
図面によって本発明による偽造防止印刷物の原理を説明すると、図１において基材上に前記基材の表面色と異なる有色蛍光インキで第１の万線（１）がオフセット印刷され、その上に、第１の万線（１）と角度が異なるように第２の万線（２）を透明インキで盛りのある画線で印刷し印刷物を作成する。したがって、図２に示すように第１の万線（１）と第２の万線（２）が交差する領域（３）と交差しない領域（４）が生じる。
【００１４】
図３に示すように、この印刷物を垂直方向から観察した場合、第２の万線（２）は透明インキで盛りのある画線で印刷されているため、確認することができなく、第１の万線（１）のみが確認できる。次に図４に示すように、印刷面に対して観察角度（印刷面と視線とのなす角度）を変化させて観察したとき、オフセット印刷された第１の万線（１）上に透明インキで盛りのある画線で印刷された第２の万線（２）が一種のレンズの役割を果たし、第１の万線（１）の位置がわずかに異なって確認でき、モアレが確認できる。
【００１５】
更に、図５に示すように、この印刷物に紫外線を照射して観察した場合、有色蛍光インキで印刷された第１の万線（１）において、図２で示した第１の万線（１）と第２の万線（２）が交差する領域（３）は第２の万線が重なっているため発光することなく、第１の万線（１）と第２の万線（２）が交差しない領域（４）は蛍光発光する。更に、第２の万線（２）において、第１の万線（１）と第２の万線（２）が交差する領域（３）は黒っぽく確認でき、第１の万線（１）と第２の万線（２）が交差しない領域（４）は、第１の万線（１）が発光した発光色の光を浴びて、交差する領域（３）とは異なった明度で確認でき、モアレ模様（５）が確認できる。
【００１６】
第１の万線の画線及び第２の万線の画線が、直線及び曲線のいずれか一つ又は両方で構成することにより、印刷物を可視光下で傾けて観察すると複雑なモアレ模様が確認でき、更に、紫外線を照射した場合に、前記印刷物を傾けることなく、垂直方向から観察した場合においも複雑なモアレ模様が確認できるため、偽造防止効果が向上する。また、曲線の場合、曲線が互いに振幅の異なる波線で構成することにより、上記同様に印刷物を可視光下で傾けて観察すると複雑なモアレ模様が確認でき、更に、紫外線を照射した場合に、前記印刷物を傾けることなく、垂直方向から観察した場合においても複雑なモアレ模様が確認できるため、偽造防止効果が向上する。
【００１７】
また、本発明の第１の万線を印刷する有色蛍光インキが、紫外線照射時にレッド系、グリーン系及びブルー系に発光するインキのいずれか一つ以上のインキで印刷されることにより、紫外線を照射した場合に、色彩の豊かな虹色のモアレ模様が作成できるため、偽造防止効果が向上する。
【００１８】
本発明に用いる基材は、紙葉類、フィルム、プラスチック等を用いることができる。
【００１９】
本発明の透明インキは、凹版インキ、スクリーンインキが好ましい。本発明の透明インキの盛りは作成上、１０ミクロン〜１００ミクロンが好ましい。
【００２０】
本発明の第１の万線と第２の万線の画線幅は、３０ミクロン〜５００ミクロンが好ましい。また、モアレ画像を出現させるための、本発明の第１の万線と第２の万線の異なる角度θは、画線設計によっても異なるが、本発明の第１の万線と第２の万線を直線で表現した場合、０度＜θ≦１０度が好ましい。
【００２１】
本発明に用いる有色蛍光インキは、特に限定されることなく、紫外線照射時にレッド系、グリーン系又はブルー系に発光すれば良い。
【００２２】
本発明の紫外線は、簡易的な紫外線ランプで十分、モアレ模様を確認することができる。
【００２３】
本発明の印刷方式は、第１の万線は、オフセット印刷方式が好ましく、第２の万線はスクリーン印刷方式、凹版印刷方式が好ましい。
【００２４】
【実施例】
以下、実施例を用いて本発明を更に詳細に説明するが、本発明の内容は、これらの実施例の範囲に限定されるものではない。
【００２５】
（実施例１）
図６（ａ）に示すような画線幅２００ミクロン、非画線部２００ミクロンのピッチの波状の第１の万線（１）のＰＳ版を作成し、次に、図６（ｂ）に示すような画線幅２００ミクロン、非画線部２００ミクロン、画線深度５０ミクロンの第１の万線とは周期の異なる波状の第２の万線（２）の凹版版面を作成した。
【００２６】
次に、市販のベージュ色のインキ４７５ｇに対して緑色発光の蛍光顔料２５ｇ（ルミコール１０００：日本蛍光化学（株）製）の配合割合で有色蛍光インキを作成した。次に、アクリレート５０ｇ、体質顔料５０ｇ、開始剤５ｇ、重合禁止剤０．１で練肉機で練肉し、ＵＶ紫外線硬化型凹版インキを作成した。
【００２７】
得られた第１の万線のＰＳ版、有色蛍光インキを用い、オフセット印刷機で市販の上質紙に印刷した。次に第１の万線が印刷された印刷物に、得られた第２の万線の凹版版面、ＵＶ紫外線硬化型凹版インキを用い、凹版印刷機で第１の万線と第２の万線が交差する領域と交差しない領域が生じるように刷り重ねて、図６（ｃ）に示す実施例１の印刷物を得た。図６（ｃ）上では図面の記載上、第２の万線（２）は、見ることができるが実際には透明凹版インキであるため肉眼では見えない。
【００２８】
実施例１の印刷物を、図７に示すように、垂直方向から観察した場合、第２の万線（２）は透明インキで印刷されているため、確認することができなく、第１の万線（１）のみが確認できた。
【００２９】
実施例１の印刷物を、図８に示すように、印刷面に対して観察角度（印刷面と視線とのなす角度）を変化させて観察したとき、透明インキで盛りのある画線で印刷された第２の万線（２）が一種のレンズの役割を果たし、第１の万線（１）の位置がわずかに異なって確認でき、モアレ（５）が確認できた。
【００３０】
更に、実施例１の印刷物を、図９に示すように、この印刷物に紫外線ランプ（６）で紫外線を照射して観察した場合、有色蛍光インキで印刷された第１の万線（１）において、第１の万線（１）と第２の万線（２）が交差する領域は、第２の万線が重なっているため発光することなく、第１の万線（１）と第２の万線（２）が交差しない領域は蛍光発光する。更に、第２の万線（２）において、第１の万線（１）と第２の万線（２）が交差する領域は黒っぽく確認でき、第１の万線（１）と第２の万線（２）が交差しない領域は、第１の万線（１）が発光した発光色の光を浴びて、交差する領域とは異なった明度で確認でき、モアレ模様（７）が確認できた。
【００３１】
（実施例２）
実施例１の作成方法で  第１の万線を紫外線照射時にレッド系、グリーン系又はブルー系に発光する有色蛍光インキで図１０に示すように（Ｒ、Ｇ、Ｂ、Ｒ、Ｇ、Ｂ………）と配列して印刷し、その上に第２の万線を刷り重ねた。この実施例２の印刷物を垂直方向から観察した場合、第１の万線のみが確認でき、紫外線ランプで紫外線を照射して観察した場合、色彩の豊かな虹色のモアレ模様が作成できた。
【００３２】
以上、本発明の実施例に基づいて説明したが、本発明はこの実施例に限定されるものではなく、特許請求の範囲記載における技術的思想の範囲内であれば、その他のいろいろな実施の形態が考えられる。
【００３３】
【発明の効果】
以上、説明したように本発明の印刷物は、可視光下で垂直方向から観察すると第１の万線のみが確認でき、印刷物を可視光下で傾けて観察するとモアレ模様が確認でき、更に、紫外線を照射すると印刷物を傾けることなく、垂直方向から観察した場合において、第１の万線と第２の万線の画線同士が重畳する領域が低輝度で確認でき、第１の万線と第２の万線の画線同士が重畳しない領域が高輝度で発光し、モアレ模様が確認できるため、確実に誰でも容易に真偽判別をすることができ、複写防止、真偽判別効果が向上する。
【００３４】
また、通常の有色インキではなく有色蛍光インキと透明インキを用いて印刷しているため、通常の有色インキよりも入手困難であり複製防止効果にも優れている。更に本発明の印刷物を複写機で複写した複写物は、可視光下で傾けて観察してもモアレ模様が出現することなく、紫外線を照射してもモアレ模様が出現しないため複写物と容易に判別することができる。
【００３５】
第１の万線の画線及び第２の万線の画線が、直線及び曲線のいずれか一つ又は両方で構成することにより、印刷物を可視光下で傾けて観察すると複雑なモアレ模様が確認でき、更に、紫外線を照射した場合に、印刷物を傾けることなく、垂直方向から観察した場合においも複雑なモアレ模様が確認できるため、偽造防止効果が向上する。また、曲線の場合、曲線が互いに振幅の異なる波線で構成することにより、上記同様に印刷物を可視光下で傾けて観察すると複雑なモアレ模様が確認でき、更に、紫外線を照射した場合に、印刷物を傾けることなく、垂直方向から観察した場合においも複雑なモアレ模様が確認できるため、偽造防止効果が向上する。
【００３６】
また、本発明の第１の万線を印刷する有色蛍光インキが、紫外線照射時にレッド系、グリーン系及びブルー系に発光するインキのいずれか一つ以上のインキで印刷されることにより、更に、紫外線を照射した場合に、色彩の豊かな虹色のモアレ模様が作成できるため、偽造防止効果が向上する。
【００３７】
【図面の簡単な説明】
【図１】本発明の印刷物の基本原理を示す図である。
【図２】本発明の印刷物の基本原理を示す拡大図である。
【図３】本発明の印刷物を垂直方向から観察した場合を示す図である。
【図４】本発明の印刷物を傾けて観察した場合を示す図である。
【図５】本発明の印刷物に紫外線を照射して観察した場合を示す図である。
【図６】本発明の実施例１の印刷物を示す図である。
【図７】本発明の印刷物を垂直方向から観察した場合を示す図である。
【図８】本発明の印刷物を傾けて観察した場合を示す図である。
【図９】本発明の印刷物に紫外線を照射して観察した場合を示す図である。
【図１０】第１の万線を紫外線照射時にレッド系、グリーン系又はブルー系に発光するインキを組合せて作成した場合の図である。
【符号の説明】
１    第１の万線
２    第２の万線
３    第１の万線と第２の万線が交差する領域
４    第１の万線と第２の万線が交差しない領域
５    モアレ模様
６    紫外線ランプ
７    モアレ模様
【図１】
0003574834.tif 000002
【図２】
0003574834.tif 000003
【図３】
0003574834.tif 000004
【図４】
0003574834.tif 000005
【図５】
0003574834.tif 000006
【図６】
0003574834.tif 000007
【図７】
0003574834.tif 000008
【図８】
0003574834.tif 000009
【図９】
0003574834.tif 000010
【図１０】
0003574834.tif 000011